(57)【要約】【課題】固定部における釘打ちが容易に行え、また、スリーブ部材のコスト削減ができ、さらに、固定部と床面との間に隙間が形成されるのを防止してスリーブ内にノロが浸入するのを防ぐことができるスリーブを提供する。【解決手段】スリーブ本体と、このスリーブ本体の両側縁からそれぞれ外方に延出された固定部とを備え、コンクリート打設によりコンクリート構造物を形成する際、このコンクリート構造物に貫通孔を確保するのに使用される硬質合成樹脂製のスリーブにおいて、前記固定部の上面側に軟質の合成樹脂からなる釘打ちガイド部が設けられたことを特徴とするものである。【選択図】  図１
2006274645.tif 000002
【特許請求の範囲】
【請求項１】
スリーブ本体と、このスリーブ本体の両側縁からそれぞれ外方に延出された固定部とを備え、
コンクリート打設によりコンクリート構造物を形成する際、このコンクリート構造物に貫通孔を確保するのに使用される硬質合成樹脂製のスリーブにおいて、
前記固定部の上面側に軟質の合成樹脂からなる釘打ちガイド部が設けられたことを特徴とするスリーブ。
【請求項２】
前記釘打ちガイド部は、前記固定部の長手方向に沿って連続して設けられたことを特徴とする請求項１に記載のスリーブ。
【請求項３】
前記釘打ちガイド部は、前記固定部の長手方向に沿って複数箇所に亘って設けられたことを特徴とする請求項１に記載のスリーブ。
【請求項４】
前記釘打ちガイド部の表面には、釘案内溝が設けられたことを特徴とする請求項１乃至３のいずれか一つに記載のスリーブ。
【請求項５】
前記固定部の下面には、軟質の合成樹脂からなるノロ止め手段が、前記固定部の長手方向に沿って連続して設けられたことを特徴とする請求項１乃至４のいずれか一つに記載のスリーブ。
【発明の詳細な説明】
【技術分野】
【０００１】
本発明は、コンクリート構造物に貫通孔を確保するのに使用される建築用スリーブに関する。
【背景技術】
【０００２】
コンクリートからなる建築構造物には、エレベータピットなどのように、地面よりも深く掘り下げられたピットが設けられることがある。このピットは床面が地面よりも低くなっているため、ピット内に地下水や雨水などが溜まることがあり、この水をピット外へ排水することが必要となっている。これに対応するため、一つの方策としてピットの床面と梁との境界面に貫通孔を設けることで排水する方法があり、この方法においては貫通孔を形成するために合成樹脂製のスリーブが用いられている。また、住宅のコンクリート基礎などの貫通孔を形成する場合にも、このようなスリーブが用いられることがある。このスリーブは、図５に示すように、断面円弧状のスリーブ本体１１から固定部２１が延出された形状の硬質合成樹脂製のものが一般的である。なお、このような貫通孔が形成されるコンクリート構造物において、固定部２１の下面が当接する面をここでは床面とし、また、貫通孔が形成される構造物の立ち上がり部分をここでは梁とする。
【０００３】
この断面円弧状のスリーブを用いてコンクリート構造物の床面と梁との境界面に貫通孔を形成する方法について以下説明する。
【０００４】
まず、これから設けられる梁幅と略同じ長さに切断したスリーブを、コンクリートの床面の所定位置に置き、固定部の上面から固定部２１を貫通するように釘を打ち込み、床面にスリーブを固定する。
【０００５】
次に、コンクリートを打設する際にスリーブ内側にノロが漏れ入らないように、スリーブの両開口端および床面と固定部との隙間をしっかりと塞ぎ養生する。なお、ここに言うノロとは、コンクリート打設後に表面に浮き上がってくるコンクリートの滓を意味する。
【０００６】
その後、梁の形状に合わせた型枠を組み、この型枠内にコンクリートを打設することによって梁を形成する。
【０００７】
最後に型枠を解体し、スリーブの開口端等に施されていた養生を取り除く。これにより、梁の両側を貫通する貫通孔が形成される。
【発明の開示】
【発明が解決しようとする課題】
【０００８】
しかし、前述したスリーブの固定部２１は、スリーブそれ自体が硬質合成樹脂材料からなっているため、固定部の表面に釘が立ちにくく、また固定部２１は肉厚でもあることから、釘を貫通させるのが難しいという問題があった。
【０００９】
このため、建築現場では、固定部２１に釘用の穴をあけてからその穴に釘を打ち込み、スリーブを床面に固定するといった方法が取られているが、この方法は逐一釘用の穴をあける作業が必要なため煩瑣なものであった。
【００１０】
これを解決するものとして、穴あけ作業を省くために、固定部２１に予め一定間隔の穴が設けられたスリーブが市販されている。このスリーブは、一般に長尺ものとして販売されており、建築現場では梁幅に応じた長さに切断して使われている。
【００１１】
しかしながら、固定部２１に釘用の穴があけられているスリーブは、梁幅に合わせて切断したときに、この切断箇所と予めあけられた釘用の穴の位置とが重なってしまって、床面の所定位置に釘用の穴が合わないことが多かった。そのため、釘用の穴が床面の好ましい位置にくるようにすべく、スリーブの開口端から適宜な幅だけ除去した後に、改めてスリーブを梁幅に合わせ切断するといったことが行われていた。したがって、釘用の穴があいたスリーブにあっては、釘の打ち込みが容易である反面、無駄になってしまう部分が多く、不経済であるという問題があった。
【００１２】
また、スリーブは硬質合成樹脂材料からなり床面はコンクリートであって双方ともに硬いため、スリーブの固定部２１と床面とを相互に密着させにくく、両者間に隙間ができ易かった。このような隙間が生じると、梁を構築するためにコンクリートを打設した際、その隙間からノロがスリーブ内に浸入する虞があった。
【００１３】
本発明は係る実情に鑑みてなされたもので、その目的は、固定部における釘打ちが容易に行え、また、スリーブ部材のコスト削減ができ、さらに、固定部と床面との間に隙間が形成されるのを防止してスリーブ内にノロが浸入するのを防ぐことができるスリーブを提供することにある。
【課題を解決するための手段】
【００１４】
上記課題を解決するため、本発明のスリーブは、スリーブ本体と、このスリーブ本体の両側縁からそれぞれ外方に延出された固定部とを備え、コンクリート打設によりコンクリート構造物を形成する際、このコンクリート構造物に貫通孔を確保するのに使用される硬質合成樹脂製のスリーブにおいて、前記固定部の上面側に軟質の合成樹脂からなる釘打ちガイド部が設けられたことを特徴とするものである。
【００１５】
このような本発明によれば、固定部の上面側に軟質の合成樹脂からなる釘打ちガイド部が設けられたものであるから、固定部の上面側に釘が立ちやすく、また釘打ちガイド部が設けられている部分は、硬質合成樹脂の厚みが薄くされているため、釘を固定部に貫通させ易く、スリーブの固定が容易に行える。
【００１６】
また、前記釘打ちガイド部は、前記固定部の長手方向に沿って連続して設けられたものであっても、あるいは、前記釘打ちガイド部は、前記固定部の長手方向に沿って複数箇所に亘って設けられたものであってもよい。
【００１７】
この場合、釘打ちガイド部の長手方向のどの位置でも釘が打ち込めるので、予め一定間隔の穴が設けられたスリーブと比較して、釘打ち位置の調整のために廃棄する部分が皆無となる分、スリーブにかかるコストを削減することができる。
【００１８】
また、前記釘打ちガイド部の表面には、釘案内溝が設けられたものであってもよい。
【００１９】
この場合、釘案内溝によって釘の先端が支持された状態で釘を打つことができるため、釘位置が固定部の長手方向にずれることはあっても、幅方向にはずれない。
【００２０】
また、前記固定部の下面には、軟質の合成樹脂からなるノロ止め手段が、前記固定部の長手方向に沿って連続して設けられたものであってもよい。
【００２１】
この場合、ノロ止め手段が軟質の合成樹脂からなるので、硬質合成樹脂の固定部と硬いコンクリートの床面とをノロ止め手段を介して密着させることができる。また、ノロ止め手段が固定部の長手方向に沿って連続して設けられているので、床面に対して固定部が長手方向全長に亘って密着し、固定部と床面との間に隙間が発生する虞がなくなる。このことから、固定部と床面との隙間を養生する作業が必要でなくなるとともに、確実なノロ止めを行うことができる。
【発明の効果】
【００２２】
本発明のスリーブは、固定部における釘打ちが容易に行え、また、スリーブ部材のコスト削減ができ、さらに、固定部と床面との間からノロが浸入するのを防ぐことができるといった効果を奏する。
【発明を実施するための最良の形態】
【００２３】
以下、本発明の実施の形態について、図面を参照して説明する。
【００２４】
図１は、本発明におけるスリーブを示す斜視図であり、（ａ）は上方から見た斜視図、（ｂ）は下方から見た斜視図である。また、図２は、図１に示すスリーブの固定部を拡大して示した正面図である。また、図３および図４は、それぞれ本発明のスリーブの変形例を示す斜視図、固定部の拡大断面図、および固定部の拡大正面図である。
【００２５】
本発明のスリーブは、スリーブ本体１１と、このスリーブ本体１１の両側縁からそれぞれ外方に延出された固定部２１と、この固定部２１の上面側に設けられた釘打ちガイド部３１とを備えている。
【００２６】
上記スリーブ本体１１は、コンクリート構造物の床面と梁との境界面などに貫通孔を確保するのに供される部分である。スリーブ本体１１としては、一般的に用いられている硬質合成樹脂材料であれば特に限定せず、例えば、硬質塩化ビニル樹脂などがあげられる。スリーブ本体１１の形状は、図に示されているような断面円弧状のものに限らず、例えば、方形や三角形等、床面と梁との境界面に貫通孔を形成しうる限りにおいて任意である。
【００２７】
上記固定部２１は、コンクリートの床面上に固定される部分であり、上記スリーブ本体１１と一体的に形成されたものである。この固定部２１は、スリーブ本体１１の両側縁においてその全長に亘って形成されるのが、ノロのスリーブ本体１１内への浸入を防ぐうえから望ましいが、不連続に形成されていてもよい。
【００２８】
このようになる固定部２１には下面にノロ止め手段４１が設けられている。
【００２９】
このノロ止め手段４１は、梁構築のためのコンクリート打設時に、固定部２１と床面との間の隙間から、ノロがスリーブ本体１１内に浸入するのを防止するためのものである。ノロ止め手段４１としては、床面に凹凸があっても密着できるように軟質の樹脂材料であればよく、例えば、軟質塩化ビニルなどがあげられる。ノロ止め手段４１は、固定部２１の下面に対して長手方向に連続して設けられていればよい。ノロ止め手段４１としては、例えば、図１および図２に示すようにヒダ状のもの、図３に示すように突条のもの、または、図４に示すように固定部２１の下面一面に設けられたものなどがあげられる。なお、このノロ止め手段４１は必ずしも設ける必要はない。
【００３０】
上記釘打ちガイド部３１は、固定部２１の表面に釘を立ち易くさせるためのものである。この釘打ちガイド部３１の表面には釘案内溝３２を設けてもよい。釘打ちガイド部３１としては、容易に釘が打てるように軟質の合成樹脂材料であれば特に限定せず、例えば、軟質塩化ビニル樹脂などがあげられる。なお、固定部２１との親和性の点から固定部２１の樹脂と同種の樹脂（例えば固定部２１が硬質塩化ビニル樹脂の場合は軟質塩化ビニル樹脂）を選択するのが好ましい。釘打ちガイド部３１は、固定部２１の上面側に設けられていればよく、例えば、図１に示すように固定部２１の長手方向に沿って連続して形成されていても、図３に示すように固定部２１の長手方向に沿って複数箇所に亘って設けられていても、または、図４に示すように固定部２１の上面側一面に設けられていてもよい。これらのうち図１および図４に示されるスリーブは、軟質合成樹脂からなる釘打ちガイド部３１が、固定部２１の長手方向に沿って連続して設けられているので、釘を打つ位置や釘同士の間隔を任意に調節して釘を打つことができる。
【００３１】
上記釘案内溝３２は、釘を打つ際に、釘先端が固定部２１の幅方向にずれないようにするためのものである。釘案内溝３２は、釘打ちガイド部３１の長手方向のどの位置で釘を打っても、固定部２１の幅方向に釘先端がずれないように、釘打ちガイド部３１の長手方向に連続して設けられている状態が好ましいが、断続的に設けられていてもよい。
【図面の簡単な説明】
【００３２】
【図１】本発明に係るスリーブの斜視図である。
【図２】本発明に係るスリーブの固定部の拡大正面図である。
【図３】本発明に係るスリーブの斜視図およびＡ−Ａ断面における固定部の拡大断面図である。
【図４】本発明に係るスリーブの斜視図および固定部の拡大正面図である。
【図５】従来のスリーブの斜視図である。
【符号の説明】
【００３３】
１１      スリーブ本体
２１      固定部
３１      釘打ちガイド部
３２      釘案内溝
４１      ノロ止め手段
【図１】
2006274645.tif 000003
【図２】
2006274645.tif 000004
【図３】
2006274645.tif 000005
【図４】
2006274645.tif 000006
【図５】
2006274645.tif 000007